(57)【要約】      （修正有）【課題】建物の天井に幕板部を圧着させる作業を容易に行える幕板部付き家具を提供する。【解決手段】複数の調整部材４が間隔をあけて天板１１に取付けられるとともに、幕板部３が、天板１１と対向する上板１３と、この上板１３の周縁で下方に延在する側板１４ａ、１４ｂと、上板１３の下面にそれぞれの調整部材４に対応させて間隔をあけて形成された複数の凹部２０とを有し、それぞれの調整部材４の上端に、複数の凹部２０のうちの対応する凹部２０を係合させて幕板部３が載置されて、幕板部３がそれぞれの調整部材４により水平移動が規制されて支持される構成にして、建物の天井２２と家具本体部の天板１１との間に配置される幕板部３の上下位置を調整部材４によって調整して上板１３を天井２２に圧着させる。【選択図】図４
0003221726.tif 000002
【実用新案登録請求の範囲】
【請求項１】
家具本体部と、前記家具本体部の上方に配置される幕板部と、前記家具本体部の天板を上下に貫通して前記天板に取付けられる棒状部を有する調整部材とを備えて、前記調整部材により前記幕板部の上下位置を調整可能にした幕板部付き家具において、
複数の前記調整部材が間隔をあけて前記天板に取付けられていて、前記幕板部が、前記天板と対向する上板と、この上板の周縁で下方に延在する側板と、前記上板の下面にそれぞれの前記調整部材に対応させて間隔をあけて形成された複数の凹部とを有し、
それぞれの前記調整部材の上端に、複数の前記凹部のうちの対応する前記凹部を係合させて前記幕板部が載置されて、前記幕板部がそれぞれの前記調整部材により水平移動が規制されて支持される構成にしたことを特徴とする幕板部付き家具。
【請求項２】
前記調整部材の上端が前記棒状部よりも拡径した板状体である請求項１に記載の幕板部付き家具。
【請求項３】
前記凹部が円柱形状であり、前記板状体が円盤形状であり、前記円柱形状の凹部の内径が、前記円盤形状の板状体の外径の１０１％以上１１０％以下に設定されている請求項２に記載の幕板部付き家具。
【請求項４】
前記上板の面積が前記天板の面積の９５％以上１０５％以下に設定されている請求項１〜３のいずれに記載の幕板部付き家具。
【請求項５】
前記家具本体部が、独立分離して使用可能な複数の家具ユニットを上下に連結して構成されている請求項１〜４のいずれに記載の幕板部付き家具。
【請求項６】
前記家具本体部の左右少なくとも一方側に位置する前記側板の後端に切欠きが形成されている請求項１〜５のいずれかに記載の幕板部付き家具。
【考案の詳細な説明】
【技術分野】
【０００１】
本考案は、家具の天板と建物の天井との間に設置される幕板部を有する幕板部付き家具に関する。
【背景技術】
【０００２】
食器棚などの家具の天板と建物の天井との隙間を埋めるために幕板が設置されることがある。幕板は家具の天板と建物の天井との隙間の大きさに応じた高さに加工される。この加工には多くの時間を要するため、幕板の高さを調整可能な装置も知られている（特許文献１参照）。
【０００３】
特許文献１では、家具等の天板上に載置される基板とこの基板上に平行に配置される可動圧接板の間を塞ぐ幕板の高さを、基板を貫通して可動圧接板の下面を支持するネジ棒の上下方向の進退により調整する装置が提案されている。ネジ棒の上端には支持部が備わり、支持部は前後左右方向に移動自在になっている。それ故、作業者が幕板を天井に圧着させるときに幕板が天板に対して前後左右方向にずれ易い。作業者は視線を上げて手を上に伸ばしながら高所で作業するため、幕板の前後左右方向のずれをなくして所定位置に位置決めしながら天井への幕板の圧着作業を行うことは難しい。
【先行技術文献】
【特許文献】
【０００４】
【特許文献１】特開２００２−２９１５５６号公報
【考案の概要】
【考案が解決しようとする課題】
【０００５】
本考案の目的は、建物の天井に幕板部を圧着させる作業を容易に行える幕板部付き家具を提供することにある。
【課題を解決するための手段】
【０００６】
上記の目的を達成するための本考案の幕板部付き家具は、家具本体部と、前記家具本体部の上方に配置される幕板部と、前記家具本体部の天板を上下に貫通して前記天板に取付けられる棒状部を有する調整部材とを備えて、前記調整部材により前記幕板部の上下位置を調整可能にした幕板部付き家具において、複数の前記調整部材が間隔をあけて前記天板に取付けられていて、前記幕板部が、前記天板と対向する上板と、この上板の周縁で下方に延在する側板と、前記上板の下面にそれぞれの前記調整部材に対応させて間隔をあけて形成された複数の凹部とを有し、それぞれの前記調整部材の上端に、複数の前記凹部のうちの対応する前記凹部を係合させて前記幕板部が載置されて、前記幕板部がそれぞれの前記調整部材により水平移動が規制されて支持される構成にしたことを特徴とする。
【考案の効果】
【０００７】
本考案によれば、幕板部の上板の下面に形成された複数の凹部と調整部材の上端を係合させることにより、幕板部の水平移動が規制される。これにより、家具本体部の上方に配置された幕板部の前後左右方向のずれがなくなり、所定位置に位置決めされる。そのため、作業者は視線を上げて手を上に伸ばしながらの高所作業であっても、幕板部を天井に容易に圧着させることができる。
【図面の簡単な説明】
【０００８】
【図１】本考案の幕板部付き家具を正面視で例示する説明図である。
【図２】図１の幕板部付き家具を平面視で例示する説明図である。
【図３】図１の幕板部が天井に圧着する前の状態を側面視で例示する説明図である。
【図４】図２のＡ−Ａ断面視で幕板部が天井に圧着する前の状態を例示する説明図である。
【図５】図４の幕板部の凹部近傍を拡大して例示する説明図である。
【図６】図３の幕板部が天井に圧着した状態を例示する説明図である。
【考案を実施するための形態】
【０００９】
以下、本考案の幕板部付き家具を図に示した実施形態に基づいて説明する。
【００１０】
図１〜図３に例示する本考案の幕板部付き家具１は、建物の床２１に載置されて、食器や調理器具などの収納や電子レンジなどの調理用家電を用いた調理を行う際に使用されるキッチンボードである。幕板部付き家具１は、家具本体部２と、幕板部３と、調整部材４とを備えている。
【００１１】
この実施形態では、家具本体部２は、独立分離して使用可能な複数の家具ユニット５〜８を上下に連結して構成されている。家具ユニット５、６、８は食器や調理器具などの収納用の棚を複数有していて、家具ユニット７は、調理用家電が載置される調理台９を有している。家具本体部２の上端部に配置された家具ユニット５は、並列に並んだ４個の収納用の棚を有していて、これらの収納用の棚の上部を覆う上壁１０には水平方向に延在する天板１１が載置されている。上壁１０および天板１１は、平面視で家具ユニット５の側壁５ａに囲まれて、正面視および側面視で側壁５ａの上端より下方に配置されている。なお、図１では、図の煩雑さを避けるために、家具ユニット５のそれぞれの収納用の棚の前面に配置された開閉自在の扉１２の図示を省略している。また、この実施形態のように、家具本体部２は複数の家具ユニット５〜８を上下に連結して構成することに限定されず、単一の家具ユニットで構成することもできる。
【００１２】
幕板部３は、家具本体部２の上方に配置されて、上板１３および側板１４（１４ａ、１４ｂ）を有している。上板１３は、天板１１に対向して水平方向に延在して、その上面全体が天井２２に圧着可能に形成されている。
【００１３】
側板１４は、上板１３の周縁で下方に延在して、天井２２と天板１１の隙間を埋める幕板である。この実施形態では、側板１４は、上下に接合された側板１４ａおよび側板１４ｂの２つの板状体で構成されている。側板１４ａは、上板１３の四辺に接続されて、鉛直方向に延在している。側板１４ａの上面は上板１３の上面と同じ上下位置である。側板１４ａの下面は上板１３の下面より下方にある。側板１４ｂは、側板１４ａの内側に沿って取付けられていて、鉛直方向に延在している。側板１４ｂの下面は、天板１１より上方で、かつ、側板１４ａの下面より下方に配置されている。側板１４ｂは、上板１３が天井２２に圧着した状態で、正面視および側面視で上板１３と天板１１の隙間を埋める。この実施形態では側板１４が別体の側板１４ａと側板１４ｂを接合して形成されているが、単一体とすることもできる。また、この実施形態では、家具本体部２の左右両側に位置する側板１４ａの後端に切欠き１５が形成されている。
【００１４】
調整部材４は、棒状部１６と下端部１７と板状体１９とを有して、幕板部３の上下位置を調整可能にする。複数の調整部材４が家具本体部２の幅方向（左右方向）に間隔をあけて天板１１に取付けられる。この実施形態では、４本の調整部材４が家具ユニット５のそれぞれの収納用の棚に対応して天板１１に取付けられている。側面視でそれぞれの調整部材４は家具本体部２の前後方向に同じ位置に配置されている。調整部材４の数は適切な複数に設定されて、これらの配置は適切な位置に設定される。
【００１５】
棒状部１６は、上下に延在する円筒形状のネジ棒で、天板１１を上下に貫通して天板１１に取付けられている。天板１１の棒状部１６が貫通する部分の内面には雌ネジが形成されていて、この雌ネジと棒状部１６が係合することで棒状部１６は天板１１に取付けられている。下端部１７は、棒状部１６の下端に接続されていて、図４に例示するように、取付工具のドライバーの先端２５と係合する溝１８を有している。溝１８は、マイナスドライバー用にすることもプラスドライバー用にすることもできる。
【００１６】
板状体１９は、棒状部１６の上端に接続されていて、棒状部１６よりも拡径した円盤形状になっている。板状体１９は棒状部１６を中心にして回転自在になっている。幕板部３の上板１３の下面が板状体１９に載置されている状態で棒状部１６が上下に移動することで、幕板部３は調整部材４に連動して上下に移動する。この実施形態では、板状体１９は円盤形状であるが、三角形や四角形等の多角形形状、その他の種々の形状を採用することができる。
【００１７】
図５に例示するように、幕板部３の上板１３の下面には複数の円柱形状の凹部２０が形成されている。図２に例示するように、複数の凹部２０はそれぞれの調整部材４の配置に対応させて間隔をあけて形成されている。それぞれの調整部材４の板状体１９には、複数の凹部２０のうちの対応する位置に形成されている凹部２０が係合される。凹部２０の深さは、板状体１９の厚さの６０％以上、より好ましくは１００％以上に設定される。円柱形状の凹部２０の内径は例えば、円盤形状の板状体１９の外径の１０１％以上１１０％以下に設定される。それぞれの板状体１９および凹部２０を係合して、幕板部３をそれぞれの調整部材４に載置すると、幕板部３はそれぞれの調整部材４により水平移動が規制されて支持される。
【００１８】
以下、幕板部付き家具１を設置するときの作業の手順の一例を説明する。
【００１９】
まず、図３に例示するように、幕板部３を調整部材４により支持した状態で幕板部付き家具１を設置位置に移動させて配置する。この移動の際には、板状体１９が凹部２０に係合することで、幕板部３は調整部材４によって水平移動が規制されて位置決めされている。そのため、幕板部３は安定していてずれが生じ難くなっている。
【００２０】
次いで、図４に例示するように、作業者は、ドライバーの先端２５を溝１８に係合させた状態で先端２５を回転させることで、棒状部１６を回転させて調整部材４を上方に移動させる。これにより、板状体１９が凹部２０に水平移動を規制された状態で、上板１３を押上げる。棒状部１６が回転しても板状体１９は回転しない。図６に例示するように、このように、それぞれの調整部材４を上方移動させることで上板１３の上面全体を天井２２に圧着させる。幕板部３の上方移動によって上板１３と天板１１との間隔は大きくなるが、この間隔は側板１４ｂで埋められる。このようにして、天板１１と天井２２との隙間を幕板部３によって塞いで、幕板部付き家具１の設置が完了する。
【００２１】
幕板部３を天井２２に圧着させる際には、複数の凹部２０がそれぞれに対応する調整部材４の上端に係合して、幕板部３の水平移動が規制されている。これにより、家具本体部２の上方に配置された幕板部３の前後左右方向のずれがなくなり、所定位置に位置決めされている。そのため、作業者は視線を上げて手を伸ばしながらの高所作業であっても、幕板部３を天井２２に容易に圧着させることができる。
【００２２】
調整部材４の上端が棒状部１６よりも拡径した板状体１９であると、調整部材４の上端が棒状部１６である場合と比較して、調整部材４の上端によって上板１３を押圧する圧力は小さくなるので、上板１３の変形を抑制するには有利になり、上板１３の全体を安定して天井２２に圧着させ易くなる。
【００２３】
凹部２０を円柱形状にして、板状体１９を円盤形状にして、凹部２０の内径が板状体１９の外径の１０１％以上に設定されると、凹部２０および板状体１９が多角形状などのその他の形状である場合のように各々の位相を合わせる必要がなく、これらの係合を円滑、容易に行うことができる。また、凹部２０の内径が板状体１９の外径の１１０％以下に設定されると、調整部材４によって幕板部３の水平移動を十分に規制できる。
【００２４】
上板１３の面積が天板１１の面積の９５％以上１０５％以下に設定されることが好ましい。これにより、天井２２に対する上板１３の圧着圧力を小さくして上板１３の変形を抑制することができる。加えて、天井２２に圧着させた幕板部３によって幕板部付き家具１をより安定した状態で維持できる。
【００２５】
この実施形態のように、家具本体部２の左右少なくとも一方側に位置する側板１４ａの後端に切欠き１５を有することもできる。切欠き１５を有することで、この切欠き１５により生じた空間を利用して、建物の側壁面２３に形成された廻り縁２４や配線などと側板１４ａを干渉させることなく幕板部３を配置することができる。
【符号の説明】
【００２６】
１  幕板部付き家具
２  家具本体部
３  幕板部
４  調整部材
５〜８  家具ユニット
５ａ  家具ユニットの側壁
９  調理台
１０  家具ユニットの上壁
１１  家具本体部の天板
１２  家具ユニットの扉
１３  上板
１４（１４ａ、１４ｂ）  側板
１５  切欠き
１６  棒状部
１７  下端部
１８  溝
１９  板状体
２０  凹部
２１  床
２２  天井
２３  側壁面
２４  廻り縁
２５  ドライバーの先端
【図１】
0003221726.tif 000003
【図２】
0003221726.tif 000004
【図３】
0003221726.tif 000005
【図４】
0003221726.tif 000006
【図５】
0003221726.tif 000007
【図６】
0003221726.tif 000008